(57)【要約】      （修正有）【課題】移動式の発電により発電柔軟性を高め、作業員が現場に赴き補修維持するリスクを減らすことができる水面下作業に用いられる潮流による発電装置を提供する。【解決手段】キャリアー１０２、発電機２００、吸気装置３００と排水装置を含む。キャリアーは頂部１０４を有する。発電機は頂部上に設けられ、発電本体２０４と頂部に固定される三脚２０２から構成される。発電本体は三脚に接続され、頂部の一側と相対し、発電本体を水平、垂直、斜め方向に回転可能とする枢設部２０６を有する。吸気装置は頂部上に設けられ、吸気本体３０２と複数の吸気支管３０４から構成される。吸気本体は外部気体を移送し、吸気支管を経て収納空間に分配し、潮流の変化に対応して発電装置の位置を調整する。排水装置はキャリアーの底面に設けられ、収納空間と結合する。【選択図】図１Ａ
0003185112.tif 000002
【実用新案登録請求の範囲】
【請求項１】
潮流による発電装置であって、
頂部を有すると共に内部に複数の収納空間を有するキャリアーと、
前記頂部に設けられる発電装置と、
前記頂部上に設けられ、吸気本体と複数の吸気支管を有する吸気装置と、
前記キャリアーの底面に設けられ、前記これら収納空間と結合する少なくとも１つの排水装置とを含み、
前記発電装置はさらに
前記頂部に固定される三脚と、
枢設部により前記三脚に接続され、前記頂部の一側に相対する発電本体を含み、前記吸気本体は外部気体を移送し、前記これら吸気支管を経て外部気体を前記これら収納空間の少なくとも１つに分配することを特徴とする、潮流による発電装置。
【請求項２】
前記発電本体は、さらに、
前記発電本体内に設けられる羽根と、
前記発電本体上に設けられ、前記羽根を被覆する保護網と、
を含むことを特徴とする、請求項１に記載の潮流による発電装置。
【請求項３】
さらに、前記底面に接続される複数の錨部を含むことを特徴とする、請求項１に記載の潮流による発電装置。
【考案の詳細な説明】
【技術分野】
【０００１】
本考案は、水面下作業に用いられる潮流による発電装置に関する。
【背景技術】
【０００２】
現在の台湾の発電源はやはり、原子力発電及び火力発電を主とする。
【考案の概要】
【考案が解決しようとする課題】
【０００３】
しかしながら、前述した従来の技術では、火力発電は大量の輸入燃料を頼る必要があり、その輸送コストは比較的高く、環境に対する影響も比較的大きい。また、原子力発電の設備のコストはとても高く、核廃棄物の処理も環境に対しての負担になる。さらに、国内では人口密度が高く、開発に適した土地には限りがあり、占有地面積を減少でき、発電柔軟性の項目を高めることが、現在の新しいエネルギーを開発する一大要求となっている。
【０００４】
これ以外に、海流と潮流の発電方法を例に挙げると、クリーンなエネルギーを提供できるというメリットがあるが、異なる地点での発電効率の違いがとても大きく、気象観測のデータに依拠する以外に、実際の水面下作業をあわせて行う必要があり、より周到な事前評価が必要である。これ以外に、海域環境でもし固定地点に発電設備を建設することだけを採用するのであれば、作業員が施工する、或いは、補修維持するリスクが高くなる。したがって、固定地点に発電設備を建設することを採用するには限定性がある。電力供給の要求に応え、環境に対する影響を減少させ、土地負担を減少させると共に人員が施工、或いは補修維持するときの安全を確保するため、新しいエネルギー源を探すことが重要課題である。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、発電柔軟性を高め、作業員が現場に赴き補修維持するリスクを減らすことができる潮流による発電装置を提供することを主目的とする。
【課題を解決するための手段】
【０００７】
上述した課題を解決し、目的を達成するために、本考案に係る潮流による発電装置は
頂部を有すると共に内部に複数の収納空間を有するキャリアーと、
前記頂部に設けられる発電装置と、
前記頂部上に設けられ、吸気本体と複数の吸気支管を有する吸気装置と、
前記キャリアーの底面に設けられ、前記これら収納空間と結合する少なくとも１つの排水装置とを含み、
前記発電装置はさらに
前記頂部に固定される三脚と、
枢設部により前記三脚に接続され、前記頂部の一側に相対する発電本体を含み、前記吸気本体は外部気体を移送し、前記これら吸気支管を経て外部気体を前記これら収納空間の少なくとも１つに分配することを特徴とする。
【図面の簡単な説明】
【０００８】
【図１Ａ】本考案に係る潮流による発電装置を説明する傾斜模式図である。
【図１Ｂ】本考案に係る潮流による発電装置を説明する傾斜模式図である。
【図２】本考案に係る潮流による発電装置を説明する発電作業の概略図である。
【図３】本考案に係る潮流による発電装置を説明する発電作業の概略図である。
【図４】本考案に係る潮流による発電装置を説明する発電作業の概略図である。
【図５】本考案に係る潮流による発電装置を説明する発電作業の概略図である。
【考案を実施するための形態】
【０００９】
以下に図面を参照して、本考案を実施するための形態について、詳細に説明する。なお、本考案は、以下に説明する実施形態に限定されるものではない。
【００１０】
まず、本考案の潮流による発電装置の第１実施形態について説明する。
（第１実施形態）
本考案の実施形態に係る潮流による発電装置１００は図１に示すように、キャリアー１０２、発電装置２００、吸気装置３００及び排水装置４００（図１Ｂの参考）で構成される。キャリアー１０２は頂部１０４を有する。発電装置２００は頂部１０４上に設けられ、これは発電本体２０４と頂部１０４に固定される三脚２０２を含む。発電本体２０４は枢設部２０６によって三脚に接続され、頂部１０４の一側に相対する。したがって、発電本体２０４は枢設部２０６によって水平、垂直、或いは斜め方向に回転できる。このようにして、発電本体２０４は海流の方向を見て角度を調整でき、発電本体２０４の正面と海流方向が垂直になるようにし、より好ましい発電効率を得ることが出来る。
【００１１】
前記発電装置２００は発電本体２０４の内部に設けられる羽根２０８と羽根２０８の外を被覆する保護網２１０を含む。これにより、海流が羽根２０８を回転させ、駆動させるとき、羽根２０８を回転させることによって生じるエネルギーは連動して発電装置２００に電力を発生させる。保護網２１０は羽根２０８と発電本体２０４の内部ユニットが外から来る異物によって破壊されることを防ぐ。発電本体２０４の表面は開口となり、開口の直径は枢設部２０６から離れる方向に向かって徐々に大きくなる。発電本体２０４はメガホン形の外形であり、発電本体２０４の表面は枢設部２０６から離れる方向に向かって曲面で徐々に拡大し、保護網２１０箇所で吸入する水量を増やし、発電効率を高め、この外形は円柱形、円錐形等異なる形状でもよい。
【００１２】
また、潮流による発電装置１００の頂部１０４上には吸気装置３００が設けられ、これは吸気本体３０２と複数の吸気支管３０４を有し、吸気本体３０２は外部気体を移送し、吸気支管３０４を経て外部気体をキャリアー１０２内に分配する。吸気本体３０２は圧縮機を有する装置であり、移送される空気は加圧されキャリアー１０２内に注ぎ込まれる。図１Ｂに示すように、キャリアー１０２内部は壁体１１４によって６つの収納空間１０６に分けられ、水を保存するために用いられ、それぞれの収納空間１０６は互いに独立している。前述の外部気体は吸気支管３０４を経て各収納空間１０６内に入る。これ以外に、排水装置４００はキャリアー１０２の底面１０８に設けられ、収納空間１０６と結合する。このようにして、収納空間１０６内に保存される水は注ぎ込まれる空気によって排水装置４００を経て排出される。また、キャリアーの底面上には排水モーターを設けてもよく、収納空間内に保存される水分の排出速度を加速させる。
【００１３】
収納空間１０６はキャリアー１０２が必要とするサイズと排水と吸気の速さを見て適切な数量に分けられる。同時に、吸気支管３０４は配置される収納空間１０６の数量に応じて調整される。これ以外に、キャリアー１０２はコンクリートによって製造され、これは所定の容量と発電環境（例えば水面下の深さ）に基づき鉄筋籠を製造し、鉄筋を組んだ後、所定のモールド中にコンクリートを流し込んでキャリアーを形成する。また、発電装置２００の数量はキャリアー１０２のサイズと必要な発電量を見て調整される。
【００１４】
図２ないし図５はキャリアーの側壁１１２（図１Ａを参照）から見た内部水量の変化を示す。図２に示すように、まず潮流による発電装置１００内部を水で満たし、潮流による発電装置１００が沈み始めるようにさせる。これ以外に、潮流による発電装置１００は複数の底面に接続される錨部１１０を含み、これにより海底に固定される。吸気装置３００は浮き５００に接続され、浮き５００から外部空気を受け取る。
【００１５】
図３に示すように、潮流による発電装置１００が海底近くまで沈んだとき、錨部１１０を利用して潮流による発電装置１００を固定させる。潮流による発電装置１００が沈む過程で徐々に一部の蓄えた水を排出し、同時に浮き５００から外部空気が注ぎ込まれる。なお、吸気本体３０２は外部気体を移送し、吸気支管を経て外部気体をキャリアー内に分配する。外部気体は平均的に各収納空間に配送されるが、海流の大きさが変わるとき、外部気体の配送比率を調整でき、潮流による発電装置１００の位置を調整する。
【００１６】
更に、このとき潮流による発電装置１００はより多くの蓄えた水を排出する（図４を参照）。潮流による発電装置１００は水量の減少に伴い海水浮力を受けて押し上げられ、真っ向から来る海流の押しに加えて、錨部１１０と固定される潮流による発電装置１００の引っ張る力との平衡を維持する。このとき潮流による発電装置１００は一定の高さに浮き上がり、発電装置２００の方向を調整し、発電準備をする。
【００１７】
水面下での発電作業が終了するのを待って、潮流による発電装置１００は錨部１１０をしまい、浮き５００によって空気を注入し蓄えた水を空にするよう排出する（図４を参照）。このとき潮流による発電装置１００は海水浮力を受けて上昇し、海面へ移動する。錨部１１０は巻き上げ機を搭載し、錨部１１０が海底に固定される距離を調整することもできる。本考案の潮流による発電装置により、海域環境と海流の強さに合わせて必要な貯水量を調整できる以外に、移動式の発電により発電柔軟性を高め、作業員が現場に赴き補修維持するリスクを下げ、固定発電設備を建設することによる環境に対する破壊を減少させることができる。
【００１８】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１９】
１００  潮流による発電装置
１０２  キャリアー
１０４  頂部
１０６  収納空間
１０８  底面
１１０  錨部
１１２  側壁
１１４  壁体
２００  発電装置
２０２  三脚
２０４  発電本体
２０６  枢設部
２０８  羽根
２１０  保護網
３００  吸気装置
３０２  吸気本体
３０４  吸気支管
４００  排水装置
５００  浮き
【図１Ａ】
0003185112.tif 000003
【図１Ｂ】
0003185112.tif 000004
【図２】
0003185112.tif 000005
【図３】
0003185112.tif 000006
【図４】
0003185112.tif 000007
【図５】
0003185112.tif 000008